(57)【要約】【課題】本発明は、家屋の外壁近傍等に設置されている設置物の隠蔽方法に関し、家屋の外壁に調和させ、当該外壁の美観を損なわせない設置物の隠蔽方法を提供することを目的とする。【解決手段】設置物近傍の外壁面の一部を撮影する撮影工程（ステップＳ１）と、撮影された壁面の画像を処理する画像処理工程（ステップＳ２）と、画像処理後の画像を設置物外表面に表示させる表示工程（ステップＳ３）とを有するように構成する。【選択図】    図２
2004349768.tif 000002
【特許請求の範囲】
【請求項１】
設置物の設置場所近傍の一部を撮影する撮影工程と、
撮影された画像を処理する画像処理工程と、
画像処理後の画像を前記設置物外表面に表示させる表示工程と
を有していることを特徴とする設置物の隠蔽方法。
【請求項２】
請求項１記載の設置物の隠蔽方法において、
前記表示工程は、シートの表面に画像処理後の前記画像を印刷し、
前記シートを前記設置物外表面に貼付する工程を含むこと
を特徴とする設置物の隠蔽方法。
【請求項３】
請求項１記載の設置物の隠蔽方法において、
前記表示工程は、画像処理後の前記画像を前記設置物外表面に印刷する工程を含むこと
を特徴とする設置物の隠蔽方法。
【請求項４】
請求項１乃至３のいずれか１項に記載の設置物の隠蔽方法において、
前記画像処理工程は、撮影された前記設置場所に投影された影を除去する工程を含むこと
を特徴とする設置物の隠蔽方法。
【請求項５】
請求項１乃至４のいずれか１項に記載の設置物の隠蔽方法において、
前記画像処理工程は、撮影された前記設置場所のテクスチャの形状歪を補正する工程を含むこと
を特徴とする設置物の隠蔽方法。
【請求項６】
請求項１乃至５のいずれか１項に記載の設置物の隠蔽方法において、
前記撮影工程は、前記設置物の設置場所近傍の景観が変化する毎に前記設置場所近傍の一部を撮影する工程を含み、
前記画像処理工程は、前記景観が変化する毎に撮影された画像を処理する工程を含み、
前記表示工程は、前記景観の変化に応じて、前記画像処理後の画像を前記設置物外表面に表示させる工程を含むこと
を特徴とする設置物の隠蔽方法。
【発明の詳細な説明】
【０００１】
【発明の属する技術分野】
本発明は、家屋の外壁近傍等に設置されている設置物の隠蔽方法に関する。
【０００２】
【従来の技術】
ガスメータや熱源機あるいは電気エアコン等の室外機、又は各種用途に用いられる配管や配線等の屋外機器は、一般に戸建住宅や集合住宅等の家屋の外壁近傍に設置されている。屋外機器の外表面は、家屋の外壁の色や模様との調和を図るためアイボリー等の無難な色に着色されていることが多い。
【０００３】
屋外ではなく屋内に関するが、特許文献１には、室内の壁に設けられた配線保護用のワイヤプロテクタの外表面を近傍の壁の色や模様に似せる処理をすることで当該ワイヤプロテクタを目立たなくさせる隠蔽方法が開示されている。
【０００４】
【特許文献１】
特開平９−１８２２４１号公報
【０００５】
【発明が解決しようとする課題】
ところで、家電製品を初めとする各種消費財の流通規模の拡大に伴い、より個性的で優れた意匠の施された物品を多くの需要者が望むようになってきている。例えば携帯電話機では、絵柄が印刷されたシートを購入して電話機表面に貼付して自分の好みの外観に変えることが流行っている。
【０００６】
この傾向は動産に限らず不動産の建築物にも広がってきており、近年は家屋の内外装に優れたデザインを施した戸建住宅や集合住宅に人気が集まっている。図９は、外表面がアイボリー系の色に塗装された設置物１２を家屋の例えば青色の外壁１３近傍に設置した状態を示す部分斜視図である。外壁１３は、細長い長方形状の板を長手方向が水平になるようにして鉛直方向に少しずつ重ね合わせて接合したサイディングになっている。従って、外壁１３は、全体として鉛直方向に平面状であって、水平方向に延びる直線状の細い陰が鉛直方向に複数並列したデザインとなる。
【０００７】
これに対し、設置物１２は直方体形状で外面は無地のアイボリーである。このため、設置物１２を外壁１３近傍に設置すると外壁１３に対してかなり目立ってしまう。これでは、建築物の外壁１３のデザインが如何に優れていようとも、設置物１２の存在により外壁１３の美観が大きく損なわれてしまうという問題が生じる。
【０００８】
この問題を解決するために例えば特許文献１に開示された隠蔽方法を用いようとしても、まず第１に外壁１３の壁面を読み取れるスキャナが存在しないという問題がある。第２に、たとえ外壁１３の壁面を読み取るスキャナが存在したとしても、太陽光で生じるサイディングの陰（外壁１３に現れる複数の平行線）等を忠実に電子データ化することは困難である。このような不完全な画像データから隠蔽用シートを作成して設置物１２外表面に貼付しても設置物１２は外壁１３に調和できず、設置物１２の隠蔽効果はほとんど得られない。
【０００９】
本発明の目的は、例えば家屋の外壁近傍に設置された設置物を外壁に調和させて外壁の美観を維持できるようにする設置物の隠蔽方法を提供することにある。
【００１０】
【課題を解決するための手段】
上記目的は、設置物の設置場所近傍の一部を撮影する撮影工程と、撮影された画像を処理する画像処理工程と、画像処理後の画像を前記設置物外表面に表示させる表示工程とを有していることを特徴とする設置物の隠蔽方法によって達成される。
【００１１】
上記本発明の設置物の隠蔽方法において、前記表示工程は、シートの表面に画像処理後の前記画像を印刷し、前記シートを前記設置物外表面に貼付する工程を含むことを特徴とする。
【００１２】
上記発明の設置物の隠蔽方法において、前記表示工程は、画像処理後の前記画像を前記設置物外表面に印刷する工程を含むことを特徴とする。
【００１３】
上記本発明の設置物の隠蔽方法において、前記画像処理工程は、撮影された前記設置場所に投影された影を除去する工程を含むことを特徴とする。
【００１４】
上記本発明の設置物の隠蔽方法において、前記画像処理工程は、撮影された前記設置場所のテクスチャの形状歪を補正する工程を含むことを特徴とする。
【００１５】
上記本発明の設置物の隠蔽方法において、前記撮影工程は、前記設置物の設置場所近傍の景観が変化する毎に前記設置場所近傍の一部を撮影する工程を含み、前記画像処理工程は、前記景観が変化する毎に撮影された画像を処理する工程を含み、前記表示工程は、前記景観の変化に応じて、前記画像処理後の画像を前記設置物外表面に表示させる工程を含むことを特徴とする。
【００１６】
【発明の実施の形態】
本発明の一実施の形態による設置物の隠蔽方法について図１乃至図８を用いて説明する。図１は、例えば青色の外壁２近傍に無地でアイボリーに着色された電気エアコン用の室外機が設置物１として設置された状態を示している。図１（ａ）は設置物１が近傍に設置された外壁２を地面に対して斜め上方から見た状態を示し、図１（ｂ）は外壁２を真正面から見た状態を示している。図１（ａ）及び（ｂ）に示すように本例では、設置物１手前に周辺配置物３である電柱が立っており、太陽光が外壁２に対して右斜め上方手前から照射して設置物１の影５と周辺配置物３の影４が外壁２壁面に投影されている。
【００１７】
図１（ｃ）は、図１（ａ）のＡ−Ａ’線で紙面に垂直に切断した外壁２の切断面を示している。図１（ｃ）に示すように、外壁２はサイディングが施されており、外壁２全体として鉛直方向に平面状であって、水平方向に延びる直線状の細い陰が鉛直方向に複数並列したデザインになっている。
【００１８】
このような配置状態において、設置物１は直方体形状で外面は無地のアイボリーであるため、設置物１を外壁２近傍に設置すると外壁２に対してかなり目立ってしまい外壁２の美観が大きく損なわれている。
【００１９】
さて、外壁２と設置物１及び周辺設置物３とが上述のように配置されている状態において、本実施の形態による設置物１の隠蔽方法を図２乃至図８を用いて説明する。図２は本実施の形態による設置物の隠蔽方法の手順の概略を示すフローチャートである。図２に示すように本実施形態による隠蔽方法は、設置物１の近傍の外壁２の壁面の一部を撮影し（ステップＳ１）、次に、撮影された壁面２の画像を電子的に処理し（ステップＳ２）、次に、画像処理後の画像を設置物１外表面に表示させる（ステップＳ３）ようになっている。
【００２０】
図３は、本実施形態における設置物の隠蔽システムを示すブロック図である。図３に示す隠蔽システムは、図２のステップＳ１の撮影工程で外壁２壁面の一部を撮影するのに用いるデジタルスチルカメラ等の撮影機３０と、撮影した画像データを格納するための、撮影機３０に着脱可能なメモリカード３２とを有している。撮影時にはメモリカード３２は撮影機３０本体に内蔵されている。
【００２１】
また、本隠蔽システムは、図２のステップＳ２の画像処理工程で外壁２の撮影画像データを画像処理するためのパーソナルコンピュータ（以下、ＰＣと略記する）３４を有している。ＰＣ３４には、キーボードやマウス等の入力装置３８と処理すべき画像を表示させる表示装置４０とが接続されている。さらにＰＣ３４には、撮影機３０から取り出したメモリカード３２を挿入して、メモリカード３２内の撮影データを読み出すデータ読み出し装置３６が接続されている。なお、データ読み出し装置３６に代えて、不図示のインターフェースを介して撮影機３０から撮影データを直接ＰＣ３４に送り込むようにしてももちろんよい。またＰＣ３４には、未処理あるいは処理済の画像データや、画像データに種々の処理を施す画像処理プログラムを格納した記憶装置４２が接続されている。
【００２２】
また、本隠蔽システムは、図２のステップＳ３の表示工程で隠蔽用シートの表面に画像処理後の画像を印刷する印刷装置４４を有している。印刷装置４４はＰＣ３４に接続されて印刷データ及び種々の制御信号を受取って隠蔽用シート表面に所定の画像を印刷できるようになっている。
【００２３】
次に、上記隠蔽システムを用いて、設置物１の近傍の外壁２の壁面の一部を撮影する撮影工程について説明する。撮影工程では、外壁２壁面の一部を撮影機３０で撮影する。撮影範囲は、できるだけ設置物１近傍の壁面を選ぶことが好ましい。そうすることにより、設置物１近傍の外壁面の色を隠蔽用シート上により忠実に再現できるため、設置物１の隠蔽効果を高めることができる。
【００２４】
図１（ｂ）の破線で長方形に囲んだ領域Ａ及びＢは外壁２表面の撮影領域をそれぞれ示している。撮影領域Ａは、設置物１の影５や周辺配置物３の影４が領域内に存在しないため、外壁２の壁面の色やサイディングの影をより忠実に撮影可能である。一方、撮影領域Ｂは、設置物１の影５や周辺配置物３の影４が領域内に存在しており外壁２の壁面の色やサイディングの影が撮影領域内で変化するため本来の壁面のテクスチャ（生地の模様や色等）を忠実に撮影するのは困難である。従って、通常は撮影領域Ａを撮影するのが好ましいが、本例では、後の画像処理工程を詳細に説明するため、壁面に影４、５が投影された撮影領域Ｂを撮影するものとする。なお撮影は、撮影領域Ｂほぼ中央部を狙い、外壁２の壁面にほぼ垂直な方向から行う。
【００２５】
撮影機３０で撮影領域Ｂの撮影が済んだら、撮影機３０からメモリカード３２を取り出してデータ読み出し装置３６に挿入し、格納されている画像データをＰＣ３４に取り込む。次に、ＰＣ３４に画像処理プログラムを起動して、図２のステップＳ２の画像処理工程を実行する。
【００２６】
図４は、画像処理工程の手順の概略を示すフローチャートである。図４に示すように、まず、撮影画像に写っている影を除去する必要があるか否かを判断する（ステップＳ１１）。
【００２７】
図５（ａ）は、表示装置４０の表示画面に表示した撮影領域Ｂの撮影画像６を示している。撮影画像６には外壁２表面と共に、設置物１の影５及び周辺設置物３の影４が写っている。この場合には、撮影画像に写っている影を除去する補正が必要であると判断してステップＳ１２の影除去工程に進む。これに対し例えば図１（ｂ）の撮影領域Ａのように影４、５がないような場合には影除去工程を省略してステップＳ１３に移行してもよい。
【００２８】
影除去工程（ステップＳ１２）では、影４、５の画像を撮影画像６から除去する補正を行う。影４、５は、時間と共に変化する太陽光の照射方向で外壁２表面での投影位置や大きさが変化するので撮影画像６から取り除くが、サイディングによる陰７は、太陽光の照射方向が変化してもその変化が少なく、また常時視認されるので残すようにする。
【００２９】
撮影画像６の影４、５のうち、壁板部分の影４、５の除去は、壁板部分の影４、５の領域の明度及び色度データを、影４、５近傍で影が投影されていない領域の外壁２表面の明度及び色度データに合わせる補正を行うことにより得られる。また、撮影画像６の影４、５のうち、サイディングによる陰７と重なっている領域７ａ、７ｂの除去は、領域７ａ、７ｂの明度及び色度データを、本来のサイディングによる陰の領域７ｃの明度及び色度データに合わせる補正を行うことにより得られる。以上の画像処理で作成した処理済画像８を図５（ｂ）に示す。図５（ｂ）に示すように、処理済画像８は撮影画像６から影４、５が削除されている。
【００３０】
以上で影除去工程（ステップＳ１２）が終了する。次に、ステップＳ１３に進み、撮影機３０が外壁２表面に対して斜め方向から撮影した場合に生じる画像の歪を補正する台形補正が必要か否か判断する。台形補正が必要であればステップＳ１４に移行し、不要ならステップＳ１５に移行して印刷データを生成する。
【００３１】
台形補正が必要な場合については後述することとし、ここでは、ステップＳ１５の印刷データの生成手順について説明する。まず、図５（ｂ）に示す処理済画像８の画像データに含まれる座標データが撮影領域Ｂの原寸と同一寸法になるようにデータ変換する。次いで、処理済画像８を上下左右方向に複数回コピーして図５（ｃ）に示すように設置物１の正面に貼り付ける隠蔽シート９の印刷データを作成する。同様に、図５（ｃ）に示すように設置物１の両側面に貼り付ける隠蔽シート１０の印刷データを作成する。なお図示は省略したが設置物１の上面に貼り付けるべきサイディングの陰７のない壁面のテクスチャのみの印刷データも作成しておく。以上で、台形補正（ステップＳ１４）が不要な場合の画像処理工程を終了する。
【００３２】
画像処理工程が終了するとＰＣ３４に接続されたプロッタ等の印刷装置４４で隠蔽シート９、１０を印刷する。印刷に際しては、定型の隠蔽用シートに印刷して画像が印刷されている領域を裁断して隠蔽シート９、１０としてもよいし、予め所定の大きさに成形した隠蔽シート９、１０に印刷データを印刷してもよい。例えば、隠蔽シート９、１０の画像印刷面の裏面には接着剤が予め塗布されている。画像が印刷された隠蔽シート９、１０及び不図示の上面用隠蔽シートをそれぞれ設置物１の所定位置に貼付する。これにより、設置物１外表面には外壁２表面の色及び模様が表示される。
【００３３】
図６は、隠蔽シート９、１０が貼付された設置物１が外壁２近傍に設置されている状態を示す斜視図である。図６に示すように、設置物１外表面と外壁２表面の模様は同じになっている。さらに、設置物１外表面と外壁２表面の明度及び色度はほぼ同じになっている。従来の設置物１２は外表面の色や模様が外壁１３表面と異なっているので非常に目立っていたが、本実施の形態による設置物１は外壁２と調和が取れて、外壁２の近傍に設置物１を配置しても設置物１はほとんど目立たなくなっている。
【００３４】
以上説明したように本実施の形態による設置物の隠蔽方法によれば、設置物１外表面に貼付する隠蔽シート９、１０に表示させる画像は設置物１が配置されている近傍の外壁２表面に基づいて作成されるので、隠蔽シート９、１０の画像の明度及び色度を外壁２表面に極めて近似させることができる。さらに、設置物１の影５や周辺配置物３の影４等の不要な画像データは取り除き、外壁２表面の凹凸で生じる陰７の画像データは残して隠蔽シート９、１０の画像を作成することができるので、太陽光の照射の影響を極力回避した隠蔽が可能になる。従って、設置物１の外壁２への調和が高められて設置物１の隠蔽効果が一層向上する。
【００３５】
次に、ステップＳ１４の台形補正を要する場合について説明する。図７は外壁２に対して斜めから撮影機３０を構えて撮影した撮影領域Ｃを含む外壁２およびその周辺を示している。外壁２を斜めから撮影するときには、外壁２に対する撮影位置の方位角及び極角を記録しておく。方位角は、例えば外壁２表面の撮影領域Ｃのほぼ中心から水平方向を基準として反時計回りに計った角度である。また極角は、外壁２表面の撮影領域Ｃの中心に立てた垂線となす角である。図７に示す例では方位角は約１３５°であり極角は約５０°である。
【００３６】
図８（ａ）は、表示装置４０の表示画面に表示した撮影領域Ｃの撮影画像６を示している。撮影画像６には外壁２表面と共に、設置物１の影５及び周辺設置物３の影４が写っているので、ステップＳ１２の影除去工程を経て図８（ｂ）に示すように影４、５を除去した影除去処理済画像１１を作成しておく。
【００３７】
次に、影除去処理済画像１１に表示されている外壁２のテクスチャに生じている撮影歪をステップＳ１４の台形補正工程で補正する。台形補正工程では、外壁撮影時に記録した撮影位置の方位角及び極角に基づいて影除去処理済画像１１の画像データの座標系を変換して、図８（ｃ）に示すようなサイディングの陰７がほぼ平行に現れるような歪補正を行う。このような台形補正を行うことにより、撮影範囲が限られていて外壁２の壁面に対して斜めから撮影した場合でも、忠実に外壁２壁面のテクスチャを再現できる。
【００３８】
次に、ステップＳ１５に移行して図８（ｃ）に示す歪補正済画像８の画像データに含まれる座標データが撮影領域Ｃの原寸と同一寸法になるようにデータ変換する。以下、既に説明したステップＳ１５の工程により、図８（ｄ）に示すように隠蔽シート９、１０及び設置物１の上面に貼り付けるべき隠蔽シート（不図示）の印刷データを作成する。次いで、印刷装置４４で出力され画像が印刷された隠蔽シート９、１０及び不図示の上面用隠蔽シートをそれぞれ設置物１の所定位置に貼付する。これにより、設置物１外表面には外壁２表面の色及び模様が表示され、設置物１は外壁２と調和が取れて設置物１を外壁２に対して目立たなくなる。
【００３９】
以上説明したように本実施の形態による設置物の隠蔽方法によれば、設置物１外表面に表示する隠蔽シート９、１０は設置物１が配置されている近傍の外壁２表面に基づいて作成されるので、隠蔽シート９、１０の画像の明度及び彩度を外壁２表面に極めて近づけることができる。また、本実施の形態によれば、設置物１の影５や周辺配置物３の影４等の不要な画像は取り除き、サイディングによる外壁２表面の凹凸で生じる陰７の画像は残して隠蔽シート９、１０を作成できる。さらに、撮影画像６に表示されている外壁２の形状歪を補正できる。これにより太陽光の照射や撮影場所の制限による影響を極力回避することができる。従って、設置物１の周辺がどのような状況にあっても設置物１の隠蔽が可能になり、設置物１の外壁２への調和を高めることができる。
【００４０】
本発明は、上記実施の形態に限らず種々の変形が可能である。
本実施の形態では、隠蔽シート９、１０及び上面用隠蔽シートをそれぞれ設置物１の所定位置に貼付して設置物１を隠蔽しているが、本発明はこれに限られない。例えば、設置物１の製造段階で撮影画像６を基に作成された印刷データを設置物１外表面の所定位置に直接印刷してもよい。この場合、設置物１外表面で外壁２壁面のテクスチャを再現できるので設置物１の外壁２への調和を高めることができる。
【００４１】
また、本実施の形態では、鉛直方向に平面状の表面を有する壁面近傍に設置物１を設置しているが、本発明はこれに限られない。例えば、生け垣等のように空間的に拡がりを有する構造物の前面に設置物１を設置する場合にも本発明は適用可能である。当該構造物の少なくとも一部を撮影した撮影画像に基づいて隠蔽シートを作成して設置物１外表面の所定位置に貼付したり、設置物１外表面に直接印刷したりすることにより、設置物１外表面に構造物外表面を再現できるので設置物１の構造物への調和を高めることができる。また、設置物１外表面に薄型ディスプレイ、電子ペーパ、プロジョクション等の表示内容を切り替え可能な表示装置を設置して、本発明の隠蔽方法を適用して撮影した構造物の処理済画像を当該表示装置に表示させるようにしてもよい。表示装置により構造物のテクスチャを再現できるので設置物１の構造物への調和を高めることができる。
【００４２】
また、本実施の形態では、設置物１外表面の凹凸を考慮せずに隠蔽シート９、１０を作成しているが、本発明はこれに限られない。例えば、設置物１外表面の凹凸で生じる陰を考慮して設置物１外表面の凹凸で陰になる箇所の明度が高くなるように、隠蔽シート９、１０に印刷すべき画像データを加工する。例えば、設置物１外表面にできる陰の領域に対する隠蔽シート９、１０の画像の明度を高くすることにより、設置物１外表面の陰とそれ以外の場所とをほぼ同じ明度にすることができる。これにより、設置物１外表面の凹凸等で形成される陰による設置物１の隠蔽効果の減少を防止することができる。
【００４３】
また、本実施の形態では撮影画像６に表示された外壁２の歪は外壁２に対する撮影位置の方位角及び極角に基づいて補正しているが、本発明はこれに限られない。例えば、寸法形状が既知の例えば正方形枠体等を撮影領域Ｃに配置して撮影する。撮影された正方形枠体の画像の歪に基づいて外壁２表面の画像の歪を補正するようにしてもよい。また、方位角及び極角データと正方形枠体の画像の歪データの双方を用いて画像歪を補正してももちろんよい。補正精度が向上するので、設置物１の隠蔽効果を一層向上させることができる。
【００４４】
また、本実施の形態では外壁２表面の一部の撮影箇所は１箇所であるが、本発明はこれに限られない。例えば、設置物１近傍の外壁２表面を複数箇所撮影し、撮影された複数の画像データに基づいて隠蔽シートを作成してももちろんよい。
【００４５】
また、本実施の形態では外壁２表面の撮影時期を固定しているが、本発明はこれに限られない。例えば、昼、夜あるいは季節等で外壁２の景観が変化する毎に外壁２表面の一部を撮影し、撮影された画像データ毎に印刷データを作成してももちろんよい。これにより、外壁２の景観の変化に応じて、隠蔽に最適な印刷データを印刷した隠蔽シートを設置物１に貼付したり、設置物１外表面に設置した表示内容の切り替え可能な表示装置に隠蔽に最適な処理済画像を表示したりするようにしてもよい。
【００４６】
【発明の効果】
以上の通り、本発明によれば、家屋の外壁に調和させ外壁の美観を損なわすことなく外壁の近傍に設置物を配置できるようになる。
【図面の簡単な説明】
【図１】本発明の一実施の形態の設置物の隠蔽方法を説明する図であって、家屋の外壁２の近傍に電気エアコン用の室外機等の設置物１が設置された状態を示す図である。
【図２】本発明の一実施の形態による設置物の隠蔽方法の手順の概略のフローチャートを示す図である。
【図３】本発明の一実施の形態における設置物の隠蔽システムを示すブロック図である。
【図４】本発明の一実施の形態による設置物の隠蔽方法の画像処理工程の手順の概略のフローチャートを示す図である。
【図５】本発明の一実施の形態による外壁２の撮影領域Ｂを撮影した画像から設置物１外表面に表示させる隠蔽用シートを加工する工程を模式的に示す図である。
【図６】本発明の一実施の形態による隠蔽シートが貼付された設置物１が外壁２近傍に設置されている状態の斜視図である。
【図７】本発明の一実施の形態の変形例を説明する図であって、家屋の外壁２の近傍に電気機器用の室外機等の設置物１が設置された斜視図であって、外壁２表面の一部を撮影機器で斜めから撮影する際の撮影領域Ｃを示す図である。
【図８】本発明の一実施の形態の変形例による撮影機器で撮影された撮影領域Ｃの画像６から設置物１の隠蔽シート９、１０を作成する工程を模式的に示す図である。
【図９】従来の外表面がアイボリー系の色に塗装された設置物１２を家屋の外壁１３近傍に設置した状態を示す図である。
【符号の説明】
１、１２  設置物
２、１３  外壁
３  周辺配置物
４、５  影
６  撮影画像
７  陰
７ａ、７ｂ、７ｃ  陰の領域
８  処理済画像
９、１０  隠蔽シート
１１  影除去処理済画像
３０  撮影機
３２  メモリカード
３４  ＰＣ
３６  データ読み出し装置
３８  入力装置
４０  表示装置
４２  記憶装置
４４  印刷装置
【図１】
2004349768.tif 000003
【図２】
2004349768.tif 000004
【図３】
2004349768.tif 000005
【図４】
2004349768.tif 000006
【図５】
2004349768.tif 000007
【図６】
2004349768.tif 000008
【図７】
2004349768.tif 000009
【図８】
2004349768.tif 000010
【図９】
2004349768.tif 000011